(57)【要約】      （修正有）【課題】ホック固定プレートを強い力で引っ張らなくてもホックとホック嵌合突起の嵌合を解除できるアジャストホック尾錠を提供する。【解決手段】アジャストホック尾錠１０のバックル枠体１４の中央には係止ピン取付棒１６が固定され、係止ピン取付棒１６には係止ピン１８が取り付けられている。係止ピン取付棒１６にはアジャスト弾性体２０の中間部２０Ａが掛け回されてアジャスト弾性体２０はバックル枠体１４と連結されている。アジャスト弾性体２０の一端部と他端部は重なった状態でホック固定プレート２２とバネホック２６によって挟持固定されている。バネホックにはホック凹部２６Ａが形成され、このホック凹部には婦人靴に固定されたホック嵌合突起が嵌合されるようになっている。【選択図】図２
0003184733.tif 000002
【実用新案登録請求の範囲】
【請求項１】
靴の締付ベルトに取り付けられたバックルと、このバックルのバックル枠体に形成された係止ピン取付棒と、この係止ピン取付棒に取り付けられた係止ピンと、前記係止ピン取付棒に一端部が取り付けられたアジャスト弾性体と、このアジャスト弾性体の他端部と連結されたホック固定プレートと、このホック固定プレートに固定されたホックと、このホックに形成されたホック凹部と、を有してなることを特徴とするアジャストホック尾錠。
【請求項２】
靴の締付ベルトに取り付けられたバックルと、このバックルのバックル枠体に形成された係止ピン取付棒と、この係止ピン取付棒に取り付けられた係止ピンと、前記係止ピン取付棒に長手方向中間部が掛け回された帯状のアジャスト弾性体と、このアジャスト弾性体の一端部と他端部をホックと共に挟持固定するホック固定プレートと、このホック固定プレートに固定された前記ホックと、このホックに形成されたホック凹部と、を有してなることを特徴とするアジャストホック尾錠。
【請求項３】
靴の締付ベルトに取り付けられたバックルと、このバックルのバックル枠体に形成された係止ピン取付棒と、この係止ピン取付棒に回動可能に取り付けられた係止ピンと、前記係止ピン取付棒に長手方向中間部が掛け回された帯状のアジャスト弾性体と、このアジャスト弾性体の長手方向中間部に貫通形成されると共に前記係止ピンが挿通された係止ピン挿通孔と、前記アジャスト弾性体の一端部と他端部をホックと共に挟持固定するホック固定プレートと、このホック固定プレートに固定された前記ホックと、このホックに形成されたホック凹部と、を有してなることを特徴とするアジャストホック尾錠。
【請求項４】
前記アジャスト弾性体を帯状ゴムで形成したことを特徴とする請求項１、請求項２、請求項３のいずれか１項に記載したアジャストホック尾錠。
【請求項５】
前記ホックをバネホックで形成したことを特徴とする請求項１、請求項２、請求項３、請求項４のいずれかに１項に記載したアジャストホック尾錠。
【考案の詳細な説明】
【技術分野】
【０００１】
本考案は主に靴の締付ベルト等に取り付けられて使用されるアジャストホック尾錠に関する。
【背景技術】
【０００２】
婦人靴の中には締付ベルトを設け、この締付ベルトの先端部に取り付けられたホック尾錠を婦人靴に固定されたホック嵌合突起に嵌合することにより締付ベルトで足首を締め付ける構成のものがある。
従来のホック尾錠は、バックルのバックル枠体に形成された係止ピン取付棒にホック固定プレートが直接取り付けられ、ホック固定プレートにはバネホックが固定されている。このバネホックにはリング状バネが内設されたホック凹部が形成され、婦人靴に固定されたホック嵌合突起と嵌合可能になっている（特許文献１）。
従って、婦人靴を履いて締付ベルトを足首に締め付ける場合は締付ベルトに取り付けられたホック尾錠のホック固定プレートに固定されたバネホックのホック凹部に婦人靴に固定されたホック嵌合突起を嵌合させている。
また、婦人靴を脱ぐ場合はホック尾錠のホック固定プレートをホック嵌合突起に対して垂直方向に引っ張ってホック凹部とホック嵌合突起の嵌合を解除することにより締付ベルトの締め付けを解除して婦人靴を脱いでいる。
しかし、前記ホックと前記ホック嵌合突起の嵌合を解除する場合、上述したようにホック嵌合突起に対して垂直方向にホック尾錠のホック固定プレートを引っ張れば円滑に嵌合解除することができるが、締付ベルトにおけるホック尾錠の取付位置や婦人靴に固定されるホック嵌合突起の固定位置が少しずれている場合は嵌合解除時にホックとホック嵌合突起に抵抗力が作用してしまい強い力でホック固定プレートを引っ張らないとホックとホック嵌合突起の嵌合を円滑に解除できない。
また、婦人靴を履いて歩行したり、脚を屈伸したりした場合や締付ベルトに予想外の外力が加わることによりホック固定プレートが強く引っ張られて、ホック嵌合突起に強い力が作用したりすると婦人靴のホック嵌合突起取付周辺部にダメージが加わる場合がある。
【先行技術文献】
【特許文献】
【０００３】
【特許文献１】登録実用新案公報登録第３０６７１８３図５、図６
【考案の概要】
【考案が解決しようとする課題】
【０００４】
本考案は、上記事実に鑑みなされたものであり、ホック尾錠のホックとホック嵌合突起の嵌合解除をする場合にホック固定プレートを強い力で引っ張らなくてもホックとホック嵌合突起の嵌合を解除できると共にホック尾錠に予想外の外力が作用しても靴が受けるダメージを抑えることができるアジャストホック尾錠を提供するものである。
【課題を解決するための手段】
【０００５】
請求項１の考案は、靴の締付ベルトに取り付けられたバックルと、このバックルのバックル枠体に形成された係止ピン取付棒と、この係止ピン取付棒に取り付けられた係止ピンと、前記係止ピン取付棒に一端部が取り付けられたアジャスト弾性体と、このアジャスト弾性体の他端部と連結されたホック固定プレートと、このホック固定プレートに固定されたホックと、このホックに形成されたホック凹部と、を有してなることを特徴としている。
請求項２の考案は、靴の締付ベルトに取り付けられたバックルと、このバックルのバックル枠体に形成された係止ピン取付棒と、この係止ピン取付棒に取り付けられた係止ピンと、前記係止ピン取付棒に長手方向中間部が掛け回された帯状のアジャスト弾性体と、このアジャスト弾性体の一端部と他端部をホックと共に挟持固定するホック固定プレートと、このホック固定プレートに固定された前記ホックと、このホックに形成されたホック凹部と、を有してなることを特徴としている。
請求項３の考案は、靴の締付ベルトに取り付けられたバックルと、このバックルのバックル枠体に形成された係止ピン取付棒と、この係止ピン取付棒に回動可能に取り付けられた係止ピンと、前記係止ピン取付棒に長手方向中間部が掛け回された帯状のアジャスト弾性体と、このアジャスト弾性体の長手方向中間部に貫通形成されると共に前記係止ピンが挿通された係止ピン挿通孔と、前記アジャスト弾性体の一端部と他端部をホックと共に挟持固定するホック固定プレートと、このホック固定プレートに固定された前記ホックと、このホックに形成されたホック凹部と、を有してなることを特徴としている。
請求項４の考案は、前記アジャスト弾性体を帯状ゴムで形成したことを特徴としている。
請求項５の考案は、前記ホックをバネホックで形成したことを特徴としている。
【考案の効果】
【０００６】
本考案のアジャストホック尾錠は、バックル枠体にアジャスト弾性体を介してホックが固定されたホック固定プレートを連結させたので、ホックにバックル枠体方向への外力が強く作用しないためホックが変形し難く、強い力でホック固定プレートを引っ張らなくてもホックとホック嵌合突起の嵌合を解除できるという優れた効果を有する。
本考案のアジャストホック尾錠は、強い力でホック固定プレートを引っ張らなくてもホックとホック嵌合突起の嵌合を解除できるので靴が受けるダメージを抑えることができるという優れた効果を有する。
また、本考案のアジャストホック尾錠は、靴を履いて歩行したり、脚を屈伸したりした場合や締付ベルトに予想外の外力が加わってもアジャスト弾性体は伸縮可能であるので、締付ベルトは足首を適度に締め付けるだけで必要以上に強く足首を締め付けるのを抑えることができると共に靴が受けるダメージを軽減できるという優れた効果を有する。
さらに、本考案のアジャストホック尾錠は、アジャスト弾性体でホックとホック嵌合突起の位置関係を調節できるので、ホック嵌合突起の固定位置が少しずれていても靴を廃棄処分にする必要がないので靴の無駄を防止すると共に靴の生産性を向上させることができるという優れた効果を有する。
【図面の簡単な説明】
【０００７】
【図１】実施例のアジャストホック尾錠の正面図である。
【図２】実施例のアジャストホック尾錠の背面図である。
【図３】実施例のアジャストホック尾錠の分解斜視図である。
【図４】実施例のアジャストホック尾錠を婦人靴に使用した状態斜視図である。
【考案を実施するための形態】
【０００８】
考案を実施するために最良の形態の例として以下のような実施例を示す。
【実施例１】
【０００９】
図１乃至図４には本考案に係るアジャストホック尾錠の一実施例が示されている。なお、この実施例では図４に示されるように、婦人靴１の締付ベルト２にアジャストホック尾錠１０を取り付け、婦人靴１に固定されたホック嵌合突起３とアジャストホック尾錠１０を嵌合したり嵌合解除したりする場合を例にして本考案のアジャストホック尾錠１０を説明する。
図１及び図２に示されるように、本考案のアジャストホック尾錠１０には締付ベルト２が挿通するバックル１２が設けられている。このバックル１２のバックル枠体１４はリング状に形成されている。このバックル枠体１４の中央には係止ピン取付棒１６が固定され、バックル枠体１４を前記締付ベルト２が挿通する第１ベルト挿通部１４Ａと第２ベルト挿通部１４Ｂに区画形成している。
図３に示されるように、前記係止ピン取付棒１６には係止ピン１８が基端部１８Ａを中心に回動可能に取り付けられている。この係止ピン１８は婦人靴１の締付ベルト２に複数貫通形成されたピン挿入孔２Ａ（図４参照）の一つに挿入されることにより、アジャストホック尾錠１０は前記締付ベルト２に取り付けられるようになっている。
図１に示されるように、前記係止ピン取付棒１６にはアジャスト弾性体２０の中間部２０Ａが掛け回されてアジャスト弾性体２０はバックル枠体１４と連結されている。この実施例では、このアジャスト弾性体２０はゴムを帯状に薄く織って形成されている。このため、アジャスト弾性体２０は長手方向（図１、図２、図４矢印Ａ方向）に伸縮可能になっている。前記アジャスト弾性体２０の長手方向の中間部２０Ａには係止ピン挿通孔２０Ｂが貫通形成されており、前記係止ピン１８が挿通されている。
図３に示されるように、アジャスト弾性体２０の一端部２０Ｃと他端部２０Ｄは重なり合うようになっている。また、前記アジャスト弾性体２０の一端部２０Ｃと他端部２０Ｄにはそれぞれホック取付孔２０Ｅが同心状に貫通形成されている。
前記アジャスト弾性体２０の一端部２０Ｃと他端部２０Ｄは重なった状態でホック固定プレート２２に対応するようになっている。このホック固定プレート２２にはホック取付孔２４が２個貫通形成されている。
また、前記アジャスト弾性体２０の一端部２０Ｃと他端部２０Ｄは重なった状態でホック固定プレート２２とホックとしてのバネホック２６によって挟まれるようになっている。
図２に示されるように、このバネホック２６にはホック凹部２６Ａが形成され、ホック凹部２６Ａの内周面にはリング状バネ２８が配設されている。このホック凹部２６Ａには婦人靴１に固定されたホック嵌合突起３（図４参照）が嵌合されるようになっている。
図３に示されるように、前記バネホック２６のカシメ部２６Ｂはアジャスト弾性体２０のホック取付孔２０Ｅ及びホック固定プレート２２のホック取付孔２４に挿通された後にカシメられるようになっている。
従って、前記バネホック２６のカシメ部２６Ｂをカシメることによりバネホック２６はホック固定プレート２２に固定されると共にアジャスト弾性体２０の一端部２０Ｃと他端部２０Ｄを挟んだ状態で固定している。
【００１０】
次に、実施例のアジャストホック尾錠１０の作用について説明する。
前記締付ベルト２にアジャストホック尾錠１０を取り付ける場合は締付ベルト２をバックル１４の第１ベルト挿通部１４Ａと第１ベルト挿通部１４Ｂに挿入すると共に締付ベルト２のピン挿入孔２Ａに係止ピン１８を挿入する。
これにより、アジャストホック尾錠１０を締付ベルト２に確実に取り付けることができる。
前記婦人靴１を履いて締付ベルト２を足首に締め付ける場合は、アジャストホック尾錠１０のバネホック２６のホック凹部２６Ａに婦人靴１に固定されたホック嵌合突起３を嵌合する。
これにより、婦人靴１の締付ベルト２を足首に締め付けることができる。
前記婦人靴１を履いて歩行したり、婦人靴１を履いた状態で脚を屈伸等したり、あるいは歩行中等に予想外の外力が作用して締付ベルト２に長手方向の力が作用してもアジャストホック尾錠１０のアジャスト弾性体２０は長手方向（図１、図２、図４矢印Ａ方向）に伸縮する。このため、締付ベルト２は適度に足首を締め付けて必要以上に強く足首を締め付けることはないので、婦人靴１の履き心地が低下するのを防ぐことができると共に婦人靴１のホック嵌合突起取付周辺部が受けるダメージを軽減することができる。
婦人靴１を脱ぐ場合は、アジャストホック尾錠１０のホック固定プレート２２を引っ張る。この時、バックル枠体１４とホック固定プレート２２を連結するアジャスト弾性体２０は長手方向（図１、図２、図４矢印Ａ方向）に伸縮可能であるので、ホック２６はバックル枠体１４方向に強く引っ張られない。
従って、バネホック２６のホック凹部２６Ａやリング状バネ２８にもバックル枠体１４方向へ向かう外力があまり作用しない。この結果、ホック凹部２６Ａやリング状バネ２８は変形しないため、強い力でホック固定プレート２２をホック嵌合突起３と離間方向に強く引っ張らなくてもバネホック２６とホック嵌合突起３の嵌合解除をすることができる。
また、婦人靴１を脱ぐ場合に強い力でホック固定プレート２２を引っ張らなくても済むため、婦人靴１のホック嵌合突起３にも強い力が加わらず婦人靴１のホック嵌合突起取付周辺部が受けるダメージを軽減することができる。
さらに、アジャストホック尾錠１０は、アジャスト弾性体２０でバネホック２６と婦人靴１に固定されたホック嵌合突起３の位置関係を調節できるので、ホック嵌合突起３の固定位置が少しずれていても婦人靴１を廃棄処分にする必要がないので婦人靴１を無駄にすることなく婦人靴１の生産性を向上させることができる。
【００１１】
なお、実施例ではアジャスト弾性体２０はゴムを帯状に薄く織って形成したものを示したが、アジャスト弾性体２０の構成は実施例の構成に限定されるものでなく、また弾性体であればゴム以外の材料の弾性体で形成してもよいことは勿論である。
また、実施例ではホックとしてバネホック２６を使用したが、ホックであればバネホック２６に限定されるものでないことは勿論である。
【産業上の利用可能性】
【００１２】
本考案のアジャストホック尾錠１０は婦人靴１に限定されるものではなく、婦人靴１以外の靴にも使用することができる。
【符号の説明】
【００１３】
１      婦人靴
２      締付ベルト
３      ホック嵌合突起
１０    アジャストホック尾錠
１２    バックル
１４    バックル枠体
１４Ａ  第１ベルト挿通部
１４Ｂ  第２ベルト挿通部
１６    係止ピン取付棒
１８    係止ピン
２０    アジャスト弾性体
２０Ａ  中間部
２０Ｂ  係止ピン挿通孔
２０Ｃ  一端部
２０Ｄ  他端部
２０Ｅ  ホック取付孔
２２    ホック固定プレート
２４    ホック取付孔
２６    バネホック
２６Ａ  ホック凹部
２６Ｂ  カシメ部
２８    リング状バネ
【図１】
0003184733.tif 000003
【図２】
0003184733.tif 000004
【図３】
0003184733.tif 000005
【図４】
0003184733.tif 000006